(57)【要約】【課題】縦位置で動画撮影をしてしまうのを防止することができる撮像装置を提供する。【解決手段】撮像装置は、動画撮影モードか否かを判定する第１の判定手段と、第１の判定手段により動画撮影モードと判定されたとき、動画記録中か否かを判定する第２の判定手段とを備える。また、第２の判定手段により動画記録中でないと判定されたとき、撮像装置が縦位置で撮影準備がされているか、横位置で撮影準備がされているかを判定する第３の判定手段を備える。また、第３の判定手段により縦位置で撮影準備がされていると判定されたとき、被写体を９０度回転して液晶表示器１２に表示する表示制御手段を備える。各手段は、マイクロコンピュータ１６がその機能を有する。【選択図】図３
2008311742.tif 000002
【特許請求の範囲】
【請求項１】
動画撮影モードか否かを判定する第１の判定手段と、
前記第１の判定手段により動画撮影モードと判定されたとき、動画記録中か否かを判定する第２の判定手段と、
前記第２の判定手段により動画記録中でないと判定されたとき、撮像装置が縦位置で撮影準備がされているか、横位置で撮影準備がされているかを判定する第３の判定手段と、
前記第３の判定手段により縦位置で撮影準備がされていると判定されたとき、被写体を９０度回転して表示器に表示する表示制御手段と、
を備えることを特徴とする撮像装置。
【請求項２】
９０度回転した被写体が前記表示器からはみ出るときは、画像を縮小処理することを特徴とする請求項１記載の撮像装置。
【請求項３】
動画撮影モードか否かを判定する第１の判定ステップと、
前記第１の判定ステップにより動画撮影モードと判定されたとき、動画記録中か否かを判定する第２の判定ステップと、
前記第２の判定ステップにより動画記録中でないと判定されたとき、撮像装置が縦位置で撮影準備がされているか、横位置で撮影準備がされているかを判定する第３の判定ステップと、
前記第３の判定ステップにより縦位置で撮影準備がされていると判定されたとき、被写体を９０度回転して表示器に表示する表示制御ステップと、
を備えることを特徴とする撮像装置の制御方法。
【請求項４】
９０度回転した被写体が前記表示器からはみ出るときは、画像を縮小処理することを特徴とする請求項３記載の撮像装置の制御方法。
【請求項５】
撮像装置の制御方法をコンピュータに実行させるプログラムにおいて、
前記制御方法は、動画撮影モードか否かを判定する第１の判定ステップと、
前記第１の判定ステップにより動画撮影モードと判定されたとき、動画記録中か否かを判定する第２の判定ステップと、
前記第２の判定ステップにより動画記録中でないと判定されたとき、撮像装置が縦位置で撮影準備がされているか、横位置で撮影準備がされているかを判定する第３の判定ステップと、
前記第３の判定ステップにより縦位置で撮影準備がされていると判定されたとき、被写体を９０度回転して表示器に表示する表示制御ステップと、
を備えることを特徴とするプログラム。
【請求項６】
請求項５記載のプログラムを格納するコンピュータで読み取り可能な記憶媒体。
【発明の詳細な説明】
【技術分野】
【０００１】
本発明は、動画撮影と静止画撮影が可能な撮像装置及びその制御方法、並びにプログラム及び記憶媒体に関する。
【背景技術】
【０００２】
現在、静止画撮影用の撮像装置においても、動画撮影が可能な撮像装置が多く存在する（例えば、特許文献１）。静止画撮影においては、横位置に構えて撮影しても縦位置に構えて撮影しても差し支えないが、動画撮影においては、一般的に横位置で撮影することが望ましい。
【０００３】
ここで、動画撮影が可能な静止画撮影用の撮像装置では、静止画撮影が主であるで、縦位置でも撮影がし易いものであることが多く、動画撮影においても、縦位置で構えてしまうことが十分考えられる。
【０００４】
図６は、従来の撮像装置の液晶表示器に表示される被写体の表示例を示す図である。
【０００５】
図６（ａ）は、撮像装置が横位置の場合に液晶表示器１２に表示される被写体を示す。図６は、（ｂ）撮像装置が縦位置の場合に液晶表示器１２に表示される被写体を示す。
何れの場合も、被写体は正立して表示される。
【特許文献１】特開２００５−３４８２１２号公報
【発明の開示】
【発明が解決しようとする課題】
【０００６】
ところが、縦位置で撮影された画像は、一般的なパソコンソフトでＣＲＴやＴＦＴで動画再生すると横向きのまま再生され、つまり、被写体が９０度回転した状態でパソコンのＣＲＴやＴＦＴに再生されるので、撮影された動画を鑑賞することが難しい。
【０００７】
パソコンのＣＲＴやＴＦＴを９０度回転することは一般的には難しいが、撮像装置で再生する場合は、容易に表示部を回転できるので、撮影時に気付かず縦位置で撮影してしまうこともある。
【０００８】
本発明の目的は、縦位置で動画撮影をしてしまうのを防止することができる撮像装置を提供することにある。
【課題を解決するための手段】
【０００９】
上記目的を達成するために、本発明の撮像装置は、動画撮影モードか否かを判定する第１の判定手段と、前記第１の判定手段により動画撮影モードと判定されたとき、動画記録中か否かを判定する第２の判定手段と、前記第２の判定手段により動画記録中でないと判定されたとき、撮像装置が縦位置で撮影準備がされているか、横位置で撮影準備がされているかを判定する第３の判定手段と、前記第３の判定手段により縦位置で撮影準備がされていると判定されたとき、被写体を９０度回転して表示器に表示する表示制御手段とを備えることを特徴とする。
【００１０】
本発明の撮像装置の制御方法は、動画撮影モードか否かを判定する第１の判定ステップと、前記第１の判定ステップにより動画撮影モードと判定されたとき、動画記録中か否かを判定する第２の判定ステップと、前記第２の判定ステップにより動画記録中でないと判定されたとき、撮像装置が縦位置で撮影準備がされているか、横位置で撮影準備がされているかを判定する第３の判定ステップと、前記第３の判定ステップにより縦位置で撮影準備がされていると判定されたとき、被写体を９０度回転して表示器に表示する表示制御ステップとを備えることを特徴とする。
【発明の効果】
【００１１】
本発明の撮像装置は、縦位置で撮影準備がされていると判定されたとき、被写体を９０度回転して表示手段に表示する。
【００１２】
この結果、撮影者に注意を促し、縦位置で動画撮影をしてしまうのを防止することができる。
【発明を実施するための最良の形態】
【００１３】
以下、本発明の実施の形態を図面を参照しながら詳細に説明する。
【００１４】
図１は、本発明の実施の形態に係る撮像装置のブロック構成図である。
【００１５】
図１において、本撮像装置は、交換可能なレンズ１、映像信号処理回路１０、マイクロコンピュータ１６の他、以下に説明する各要素を備える。
【００１６】
レンズ１のＡＦ（オートフォーカス）駆動回路は、例えば、ステッピングモータによって構成され、マイクロコンピュータ１６の制御によってレンズ１内のフォーカスレンズ位置を変化させることによりピントを合わせる。フォーカス演算に用いるデフォーカス量は、ＡＦセンサ２４の出力を用いて演算する。
【００１７】
レンズ１の絞り駆動回路は、マイクロコンピュータ１６の制御によって光学的な絞り値を変化させる。レンズ１のズーム駆動回路は、マイクロコンピュータ１６の制御によってズーム（レンズ）を駆動する。
【００１８】
マイクロコンピュータ１６は、レンズ１と通信し、現在のズーム位置（焦点距離情報）、現在の距離環位置（被写体距離）の情報を収得することが可能である。マイクロコンピュータ１６は、レンズ１と通信可能かどうかで、レンズ１が装着されているか未装着状態であるかを判定することができる。
【００１９】
クイックリターンミラー２は、露光の際にマイクロコンピュータ１６の指示で不図示のアクチュエータによりアップダウンする。また、クイックリターンミラー２は、ＡＦ光学系に光を導くためハーフミラーで構成され、サブミラーも連動する。
【００２０】
撮影者は、ペンタプリズム４とファインダ光学系を通してフォーカシングスクリーン３を観察することで、交換レンズ１を通して得た象のピントや構図の確認が可能となる。
【００２１】
フォーカルプレーンシャッター５は、マイクロコンピュータ１６の制御で撮像素子（ＣＣＤ）６の露光時間を自由に制御できる。フォーカルプレーンシャッター５は、一般的には先幕、後幕から構成され、２枚の幕の間隔で自由に露光時間が制御される。動画撮影時は、クイックリターンミラー２が上がった状態で、先幕のみ走行した状態で、撮像素子６が露光されたままの状態となる。撮像素子６は、光学的レンズ１によって結像されたフィルム像を光電変換して電気信号として取り出す。
【００２２】
クランプ／ＣＤＳ回路（クランプＣＤＳ）７やＡＧＣ８は、Ａ／Ｄ変換をする前の電気信号の基本的アナログ処理を行う。マイクロコンピュータ１６により、クランプレベルやＡＧＣ基準レベルの変更も可能である。
【００２３】
Ａ／Ｄ変換部９は、アナログのＣＣＤ出力信号をデジタル信号に変換する。この際、設定されているＩＳＯ感度に応じた変換を行う。
【００２４】
静止画撮影時は、映像信号処理回路１０は、デジタル化されたＣＣＤ画像データに、フィルタ処理、色変換処理、ガンマー／ニー処理を行い、メモリコントローラ１３に出力する。
【００２５】
映像信号処理回路１０にはＤ／Ａ変換部も内蔵されており、撮像素子６から入力される映像信号や、メモリコントローラ１３から逆に入力される画像データをアナログ信号に変換し、液晶駆動回路１１を通して液晶表示器１２に出力することも可能である。
【００２６】
これらの機能切り替えはマイクロコンピュータ１６とのデータ交換により行われ、ホワイトバランス情報をマイクロコンピュータ１６に出力可能である。その情報を基にマイクロコンピュータ１６はホワイトバランス調整を行う。
【００２７】
また、動画撮影時は、映像信号処理回路１０から送られてくる画像を一定周期で液晶駆動回路１１を通して液晶表示器１２に表示する。この際、マイクロコンピュータ１６の指示で、画像信号処理回路１０で回転（時計回りに９０度、または、反時計回りに９０度）処理して、その回転した画像を一定周期で液晶駆動回路１１を通して液晶表示器１２に表示することが可能である。また、同様に拡大縮小処理し表示することも可能である。
【００２８】
映像信号処理回路１０は、マイクロコンピュータ１６の指示により、信号処理を行わずにメモリコントローラ１３を通してバッファメモリ１９に画像データを保存することも可能である。また、映像信号処理回路１０はＪＰＥＧなどの圧縮処理機能も有する。
【００２９】
連写の場合は一旦、バッファメモリ１９に撮影データを格納し、処理時間がある場合にメモリコントローラ１３を通して未処理の画像データを読み出し、映像信号処理回路１０で画像処理や圧縮処理を行い、連写スピードを上げる。
【００３０】
連写枚数は、バッファメモリ１９の大きさ（容量）に大きく左右される。また、動画撮影準備時は、映像信号処理回路１０で処理しながら、平行して液晶駆動回路１１を通して液晶表示器１２に表示する。また、同時に、ＡＥ，ＡＦの演算制御も行う。動画記録時は、更に平行して、メモリコントローラ１３を通してメモリ１４に記録する。
【００３１】
また、マイクロコンピュータ１６は、撮影前に設定されているＩＳＯ感度、画像サイズ、画質応じた画像サイズの予測値データを基に、メモリコントローラ１３を通してメモリ１４の容量を確認する。そして、撮影可能残数や動画記録可能な時間を演算し、液晶駆動回路２１を介して外部液晶表示部材２２に表示する。
【００３２】
静止画撮影時は、メモリコントローラ１３は、映像信号処理回路１０から入力された未処理のデジタル画像データをバッファメモリ１９に格納し、処理済みのデジタル画像をメモリ１４に格納する。また逆に、メモリコントローラ１３は、バッファメモリ１９やメモリ１４から画像データを映像信号処理回路部１０に出力する。
【００３３】
また、メモリコントローラ１３は、外部インターフェイス１５から送られてくる映像をメモリ１４に記憶し、あるいはメモリ１４に記憶されている画像を外部インターフェイス１５から出力可能である。メモリ１４は取り外し自由である場合もある。
【００３４】
電源１７は、各ＩＣや駆動系に必要な電力を供給する。操作部材１８は、マイクロコンピュータ１６にその状態を伝え、マイクロコンピュータ１６は操作部材１８の変化に応じて各部をコントロールする。
【００３５】
レリーズ釦２０（２０ａ、２０ｂ）は操作部材１８の入力スイッチである。ＳＷ（１）２０ａのみオンの状態はレリーズ釦半押し状態であり、ＳＷ（１）２０ａ、ＳＷ（２）２０ｂが共にオンの場合はレリーズ釦オン状態で撮影が行われる。
【００３６】
操作部材１８には、レリーズ釦２０のほかに、ＩＳＯ設定釦、画像サイズ設定釦、画質設定釦、情報表示釦など不図示のスイッチが接続されており、スイッチの状態が検出されている。
【００３７】
液晶駆動回路２１は、マイクロコンピュータ１６の表示命令に従って、外部液晶表示部材２２やファインダ内液晶表示部材２３を駆動する。また、ファインダ内液晶表示部材２３には、不図示のＬＥＤなどのバックライトが配置されており、そのＬＥＤも液晶駆動回路２１で駆動される。
【００３８】
ＡＦセンサ２４は、マイクロコンピュータ１６にデフォーカス情報を出力し、マイクロコンピュータ１６はそれに基づいてレンズ１と通信し、内部のＡＦレンズ駆動回路を用いてピントを合わせる。ＡＥ（測光）センサ２５は、ファインダスクリーン上を測光し、レンズ１を通した被写体の輝度を測光する。
【００３９】
また、撮像装置が縦位置（縦向き）にあるか横位置（横向き）にあるかを検知する姿勢検知手段２６がマイクロコンピュータ１６に接続されている。この姿勢検知手段２６により、横位置に撮像装置が構えられているか、レリーズ釦が下向きの縦位置で構えられているか、レリーズ釦が上向きの縦位置で構えられてかの判定が可能となる。
【００４０】
図２は、図１の撮像装置によって実行される撮影（撮像）処理の手順を示すフローチャートである。
【００４１】
本処理は、図１におけるマイクロコンピュータ１６によって実行される。
【００４２】
図２において、まず、電源オフ状態であるかどうかの判定を行う（ステップＳ２０１）。静止画撮影時は、タイマがタイムアウトしたかどうかの判定を行い、タイムアウトと判定された場合は電源オフの処理のためにステップＳ２２１に進み、動画撮影時は、動画撮影準備状態でない電源をオフする状態の場合はステップＳ２２１に進む。電源オフ条件でない場合はステップＳ２０２に進む。
【００４３】
ステップＳ２０２では、各種の設定を行う、操作部材１８の入力により、撮像装置のモードなどの各種の設定を行う。撮影モード等の設定もここで行う。
【００４４】
ステップＳ２０３で、撮影モードが静止画モードであるのか動画モードであるのか判定する。動画撮影モードが設定されている場合はステップＳ２２４に進み、静止画撮影モードが選択されている場合はステップＳ２０４に進む。
【００４５】
ステップＳ２０４で、ＡＥセンサ２５を用いて被写体の輝度を測定し、静止画撮影において適正露出を得るためのシャッター速度や絞り値を演算する。
【００４６】
ステップＳ２０５で、ＡＦセンサ２４を用いて被写体のデフォーカスを検知する。静止画撮影用の焦点調整を行う。
【００４７】
ステップＳ２０６で、ステップＳ２０２で設定した状態や各種の設定状態を外部液晶表示部材２２に表示する。また、ステップＳ２０２で設定された、ＩＳＯ感度、画像サイズ、画質に応じた画像サイズの予測値データを基に、メモリコントローラ１３を通して、メモリの容量を確認し、撮影可能残数を演算して外部液晶表示部材２２に表示する。また、ステップＳ２０５で検出されたピントの状態、ステップＳ２０４で演算されたシャッター速度や絞り値を外部液晶表示部材２２に表示する。
【００４８】
ステップＳ２０７で、レリーズ釦２０が半押し状態かどうかの判定を行い、ＳＷ（１）のみオンの半押し状態の場合はタイマ更新のためにステップＳ２０８に進み、全く押されてない状態ではステップＳ２０１に戻る。
【００４９】
ステップＳ２０８で電源オフタイマの更新を行う。
【００５０】
ステップＳ２０９で、レリーズが可能状態であり、かつ、レリーズ釦２０が完全に押された状態（ＳＷ（１）とＳＷ（２）が同時にオン状態）になったかどうかの判定を行う。完全に押された状態の場合は画像を撮影するために、ステツプＳ２１０に進み、押されてない場合はステップＳ２０１に戻る。
【００５１】
ステップＳ２１０で、クイックリターンミラー２を制御し、ミラーをアップ状態にすると共に、レンズ１と通信し、ステップＳ２０４で演算（算出）された絞り値にレンズ１の絞りを制御する。
【００５２】
ステップＳ２１１で、フォーカルプレーンシャッター５により、ステップＳ２０４で演算されたシャッター時間を制御し、撮像素子６の画像を、クランプ／ＣＤＳ回路７、ＡＧＣ８、Ａ／Ｄ変換部９に取り込む。
【００５３】
ステップＳ２１２で、クイックリターンミラー２を制御し、ミラーをダウン状態に戻し、レンズ１と通信し、レンズ１の絞りを開放状態に制御する。
【００５４】
ステップＳ２１３で、ＡＧＣ８に設定されたＩＳＯ値に対するゲイン値をレンズ１に送り、感度調整しする。また、メモリコントローラ１３に画像信号を送り、バッファメモリ１９に画像を一時保管する。
【００５５】
ステップＳ２１４で、映像信号処理回路１０の出力であるホワイトバランス情報を基に、出力画像が適正な色になるように、映像信号処理回路１０で用いるＲとＢのゲインを演算する。
【００５６】
ステップＳ２１５で、バッファメモリ１９に格納（保存）された未処理の画像を、映像信号処理回路１０の負荷が画像処理できるレベルであるときに処理し、圧縮してメモリ１４に格納する動作をスタートする。連写等の場合は、バッファメモリ１９に画像が順次格納されるが、画像処理は停止した状態になることもある。
【００５７】
ステップＳ２１６で、静止画撮影モード時は撮影可能枚数、動画撮影モード時は記録残時間の算出（判定）を行う。
【００５８】
ステップＳ２１７で、静止画撮影モード時は、ステップＳ２１５で処理された画像信号を液晶駆動回路１１に送り、液晶表示器１２に表示する。また、ステップＳ２０４、Ｓ２０５、Ｓ２１６で決定した撮影情報を、液晶駆動回路２１に送り、外部液晶表示部材２２に外部液晶表示する。
【００５９】
ステップＳ２１８で、上記撮影情報をファインダ内液晶表示部材２３にファインダ内液晶表示する。
【００６０】
ステップＳ２１９で、メモリ１４に記憶可能な領域が存在するかどうかの判定を行い、かつ未処理のバッファメモリ１９上の画像も考慮した上で、撮影可能であるかどうかの判定を行う。撮影可能である場合は、ステップＳ２０１に進み、撮影できない場合は、警告表示を出すためにステップＳ２２０に進む。
【００６１】
ステップＳ２２０で、撮影不可能状態であると判定された旨の情報を表示する。
【００６２】
ステップＳ２０１で電源がオフの場合、ステップＳ２２１で、液晶駆動回路１１により液晶表示器１２を消灯する。また、液晶駆動回路２１により外部液晶表示部材２２、ファインダ内液晶表示部材２３を消灯する。
【００６３】
ステップＳ２２２で、画像処理と圧縮とメモリ格納がすべて終了し、バッファメモリ１９の撮影画像領域が空になるのを待つ。
【００６４】
ステップＳ２２３で、電源１７に指示を出し、必要無い電力の供給は停止する。そして、本処理を終了する。
【００６５】
ステップＳ２２４で、クイックリターンミラー２を制御し、ミラーをアップ状態にする。
【００６６】
ステップＳ２２５で、フォーカルプレーンシャッター５の先幕のみ走行し、撮像素子６に常に被写体画像が露光されている状態にする。
【００６７】
ステップＳ２２６で、撮像素子６の画像を、一定周期で、クランプ／ＣＤＳ回路７、ＡＧＣ８、Ａ／Ｄ変換部９に取り込む。この際、取り込んだ画像を基に映像信号処理回路１０で動画の表示処理とＡＥ，ＡＦの評価を行い、マイクロコンピュータ１６に伝え、ＡＥ（絞る駆動）、ＡＦ（フォーカス駆動）の制御を行う。
【００６８】
ステップＳ２２７で、映像信号処理回路１０から送られてくる画像を、一定周期で液晶駆動回路１１を通して液晶表示器１２に表示する。
【００６９】
ステップＳ２２８で、動画記録開始の操作がされたかどうかの判定を行う。例えば、レリーズ釦２０のＳＷ（２）を押したかどうかの判定を行う。動画撮影開始と判定されなかった場合はステップＳ２２５に戻り、動画撮影開始と判定された場合はステップＳ２２９に進む。
【００７０】
ステップＳ２２９で、撮像素子６の画像を、一定周期で、クランプ／ＣＤＳ回路７、ＡＧＣ８、Ａ／Ｄ変換部９に取り込む。この際、取り込んだ画像を基に、映像信号処理回路１０で動画の表示処理とＡＥ，ＡＦの評価を行い、マイクロコンピュータ１６に伝え、ＡＥ（絞る駆動）、ＡＦ（フォーカス駆動）の制御を行う。
【００７１】
ステップＳ２３０で、映像信号処理回路１０から送られてくる画像を、一定周期で、液晶駆動回路１１を通して液晶表示器１２に表示する。
【００７２】
ステップＳ２３１で、ステップＳ２３０の処理と平行して、動画処理された画像を、メモリコントローラ１３を通してメモリ１４に記録（記憶）する。
【００７３】
ステップＳ２３２で、動画記録終了の操作がされたかどうかの判定を行う。例えば、レリーズ釦２０のＳＷ（２）が再度押されたかどうかの判定を行う。動画撮影終了と判定されなかった場合はステップＳ２２９に戻り、動画撮影終了と判定された場合はステップＳ２３３に進む。
【００７４】
ステップＳ２３２で、フォーカルプレーンシャッター５の後膜走行ミラー制御を行う。
【００７５】
図３は、図２のステップＳ２２７及びステップＳ２３０で実行される表示処理の手順を示すフローチャートである。図４は、図１における液晶表示器に横向きと縦向きで表示される被写体の第１の表示例を示す図である。
【００７６】
図３において、まず、ステップＳ３０１で、動画撮影モードが設定されているか、静止画撮影モードが設定されているかの判定を行う（第１の判定手段）。ここで、静止画撮影モードが設定してあると判定された場合は、本処理を終了する。動画撮影モードが設定されていると判定された場合はステップＳ３０２に進む。
【００７７】
ステップＳ３０２で、動画記録中（撮影中）であるか否かの判定を行う（第２の判定手段）。動画記録中と判定された場合はステップＳ３０６に進み、動画記録中でないと判定された場合はステップＳ３０３に進む。
【００７８】
動画記録中でないとは、図２のステップＳ２２５乃至Ｓ２２７の処理を繰り返している状態で、動画記録中とは、図２のステップＳ２２９乃至Ｓ２３１の処理を繰り返している状態である。
【００７９】
ステップＳ３０３において、姿勢検知手段２６で、撮像装置が横位置（横向き）で構えられているか、縦位置（縦向き）で構えられているかの判定を行う（第３の判定手段）。縦位置で構えられていると判定された場合はステップＳ３０５に進み、横位置に構えられていると判定された場合はステップＳ３０４に進む。
【００８０】
ステップＳ３０４で、動画撮影準備中において、撮像装置が横位置に構えられている場合は問題がないので、図４（ａ）に示すように、被写体を回転処理せずに液晶表示器１２に表示する。
【００８１】
ステップＳ３０５で、動画撮影準備中において、撮像装置が縦位置に構えられている場合は、前述したように、被写体が９０度回転した状態で再生されてしまうという問題があるので、図４（ｂ）に示すように表示する。つまり、あえて被写体を９０度回転して液晶表示器１２に表示する（表示制御手段）。撮影者は、この表示を見て、意識すること無しに、撮像装置を横位置に構え直すことができる。
【００８２】
ステップＳ３０６で、既に動画撮影中の場合は、図４（ｃ）に示すように、被写体を回転処理せずに液晶表示器１２に表示する。
【００８３】
被写体を上記のように回転表示した場合、被写体が液晶表示器１２からはみ出してしまう場合の対処例について説明する。
【００８４】
図５は、図１における液晶表示器に横向きと縦向きで表示される被写体の第２の表示例を示す図である。
【００８５】
図５（ａ）の被写体を９０度回転すると、図５（ｂ）に示すように被写体が液晶表示器１２はみ出し、何が写っているのか撮影者が判定しにくい。
【００８６】
そこで、このような大きな被写体を回転する場合は、図５（ｃ）に示すように自動で広角側にズームして表示する。レンズ１内にはズーム駆動回路があり、マイクロコンピュータ１６の制御によってズームを駆動することが可能である。
【００８７】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００８８】
この場合、記憶媒体から読み出されたプログラムコード自体が前述した実施の形態の機能を実現することになり、そのプログラムコード及び該プログラムコードを記憶した記憶媒体は本発明を構成することになる。
【００８９】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００９０】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００９１】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００９２】
【図１】本発明の実施の形態に係る撮像装置のブロック構成図である。
【図２Ａ】図１の撮像装置によって実行される撮影（撮像）処理の手順を示すフローチャートである。
【図２Ｂ】図２Ａの続きのフローチャートである。
【図３】図２のステップＳ２２７及びステップＳ２３０で実行される表示処理の手順を示すフローチャートである。
【図４】図１における液晶表示器に横向きと縦向きで表示される被写体の第１の表示例を示す図である。
【図５】図１における液晶表示器に横向きと縦向きで表示される被写体の第２の表示例を示す図である。
【図６】従来の撮像装置の液晶表示器に表示される被写体の表示例を示す図である。
【符号の説明】
【００９３】
１  レンズ
２  クイックリターンミラー
３  フォーカッシングスクリーン
４  ペンタプリズム
５  フォーカルプレーンシャッター
６  撮像素子
７  クランプＣＤＳ
８  ＡＧＣ
９  Ａ／Ｄ変換部
１０  映像信号処理回路
１１  液晶駆動回路
１２  液晶表示器（表示器）
１３  メモリコントローラ
１４  メモリ
１５  外部インターフェイス
１６  マイクロコンピュータ
１７  電源
１８  操作部材
１９  バッファメモリ
２０  レリーズ釦
２１  液晶駆動回路
２２  外部液晶表示部材
２３  ファインダ内液晶表示部材
２４  ＡＦセンサ
２５  ＡＥセンサ
２６  姿勢検知手段
【図１】
2008311742.tif 000003
【図２Ａ】
2008311742.tif 000004
【図２Ｂ】
2008311742.tif 000005
【図３】
2008311742.tif 000006
【図４】
2008311742.tif 000007
【図５】
2008311742.tif 000008
【図６】
2008311742.tif 000009